【手続補正書】
【提出日】平成17年2月24日(2005.2.24)
【手続補正１】
【補正対象書類名】明細書
【補正対象項目名】発明の名称
【補正方法】変更
【補正の内容】
【発明の名称】廃棄物リサイクルシステム，リサイクル情報統括管理手段及び廃棄物現品追跡管理方法
【手続補正２】
【補正対象書類名】明細書
【補正対象項目名】特許請求の範囲
【補正方法】変更
【補正の内容】
【特許請求の範囲】
【請求項１】
廃棄物の受け渡し状況を管理する為の管理票が有する２つの同一バーコードのうち一方をはがしてシールとして添付した廃棄物を保管する廃棄物保管手段，該廃棄物保管手段で一時保管した廃棄物を輸送する廃棄物輸送手段，該廃棄物輸送手段が輸送した廃棄物を受け取り分解・選別処理するリサイクル手段を有する廃棄物リサイクルシステムであって、
前記廃棄物保管手段，前記廃棄物輸送手段及び前記リサイクル手段において前記シールのバーコード情報又は管理票に付与された管理票のバーコード情報を読み取るバーコードリーダと、
前記読み取られたバーコード情報についての、前記シールの番号又は前記廃棄物を管理する管理票の番号を、それぞれ格納する、保管情報管理手段，輸送情報管理手段及び処理情報管理手段と、
前記保管情報管理手段，前記輸送情報管理手段及び前記処理情報管理手段から送信された前記シールの番号又は前記管理票の番号を格納する管理情報格納手段と、
前記管理情報格納手段の前記シールの番号又は前記管理票の番号により、前記廃棄物保管手段，前記廃棄物輸送手段及び前記リサイクル手段における廃棄物の受け入れ情報を確認する廃棄物現品追跡管理手段を有する
ことを特徴とする廃棄物リサイクルシステム。
【請求項２】
廃棄物の受け渡し状況を管理する為の管理票が有する２つの同一バーコードのうち一方をはがしてシールとして添付した廃棄物を保管する廃棄物保管手段，該廃棄物保管手段で一時保管した廃棄物を輸送する廃棄物輸送手段，該廃棄物輸送手段が輸送した廃棄物を受け取り分解・選別処理するリサイクル手段を有する廃棄物リサイクルシステムの廃棄物現品追跡管理方法であって、
前記廃棄物保管手段，前記廃棄物輸送手段及び前記リサイクル手段のバーコードリーダが、前記シールのバーコード情報又は前記管理票に付与された管理票のバーコード情報を読み取り、
前記読み取られたバーコード情報についての、前記シールの番号又は前記廃棄物を管理する管理票の番号を、それぞれ格納する、保管情報管理手段，輸送情報管理手段及び処理情報管理手段が、前記シールの番号又は前記管理票の番号を送信し、
前記保管情報管理手段，前記輸送情報管理手段及び前記処理情報管理手段から送信された前記シールの番号又は前記管理票の番号を格納する管理情報格納手段を有する廃棄物現品追跡管理手段が、前記シールの番号又は前記管理票の番号により、前記廃棄物保管手段，前記廃棄物輸送手段及び前記リサイクル手段における廃棄物の受け入れ情報を確認する
廃棄物現品追跡管理方法。
【請求項３】
廃棄物の受け渡し状況を管理する為の管理票が有する２つの同一バーコードのうち一方をはがしてシールとして添付した廃棄物を保管する廃棄物保管手段，該廃棄物保管手段で一時保管した廃棄物を輸送する廃棄物輸送手段及び該廃棄物輸送手段が輸送した廃棄物を受け取り分解・選別処理するリサイクル手段においてバーコードリーダによって読み取られた前記シールのバーコード情報又は前記管理票に付与された管理票のバーコード情報についての、前記シールの番号又は前記管理票の番号を格納する管理情報格納手段と、
前記管理情報格納手段の前記シールの番号又は前記管理票の番号により、前記廃棄物保管手段，前記廃棄物輸送手段及び前記リサイクル手段における廃棄物の受け入れ情報を確認する廃棄物現品追跡管理手段を有するリサイクル情報統括管理手段。
【請求項４】
廃棄物の受け渡し状況を管理する為の管理票が有する２つの同一バーコードのうち一方をはがしてシールとして添付した廃棄物を保管する廃棄物保管手段，該廃棄物保管手段で一時保管した廃棄物を輸送する廃棄物輸送手段及び該廃棄物輸送手段が輸送した廃棄物を受け取り分解・選別処理するリサイクル手段のバーコードリーダによって読み取られた前記シールのバーコード情報又は前記管理票に付与された管理票のバーコード情報についての、前記シールの番号又は前記管理票の番号を格納する管理情報格納手段を有する廃棄物現品追跡管理手段が、
前記管理情報格納手段の前記シールの番号又は前記管理票の番号により、前記廃棄物保管手段，前記廃棄物輸送手段及び前記リサイクル手段における廃棄物の受け入れ情報を確認する廃棄物現品追跡管理方法。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】削除
【補正の内容】
【手続補正１７】
【補正対象書類名】明細書
【補正対象項目名】００４０
【補正方法】削除
【補正の内容】
【手続補正１８】
【補正対象書類名】明細書
【補正対象項目名】００４１
【補正方法】削除
【補正の内容】
【手続補正１９】
【補正対象書類名】明細書
【補正対象項目名】００４２
【補正方法】削除
【補正の内容】
【手続補正２０】
【補正対象書類名】明細書
【補正対象項目名】００４３
【補正方法】削除
【補正の内容】
【手続補正２１】
【補正対象書類名】明細書
【補正対象項目名】００４４
【補正方法】削除
【補正の内容】
【手続補正２２】
【補正対象書類名】明細書
【補正対象項目名】００４５
【補正方法】削除
【補正の内容】
【手続補正２３】
【補正対象書類名】明細書
【補正対象項目名】００４６
【補正方法】削除
【補正の内容】
【手続補正２４】
【補正対象書類名】明細書
【補正対象項目名】００４７
【補正方法】削除
【補正の内容】
【手続補正２５】
【補正対象書類名】明細書
【補正対象項目名】００４８
【補正方法】削除
【補正の内容】
【手続補正２６】
【補正対象書類名】明細書
【補正対象項目名】００５２
【補正方法】削除
【補正の内容】
【手続補正２７】
【補正対象書類名】明細書
【補正対象項目名】００５３
【補正方法】削除
【補正の内容】
【手続補正２８】
【補正対象書類名】明細書
【補正対象項目名】００５４
【補正方法】削除
【補正の内容】
【手続補正２９】
【補正対象書類名】明細書
【補正対象項目名】０１１２
【補正方法】削除
【補正の内容】
【手続補正３０】
【補正対象書類名】明細書
【補正対象項目名】０１１３
【補正方法】削除
【補正の内容】
【手続補正３１】
【補正対象書類名】明細書
【補正対象項目名】０１１４
【補正方法】削除
【補正の内容】